(57)【要約】　　　（修正有）【課題】分離された光ファイバの保護を確実にして安全に処理でき、その配線の作業性をも大幅に向上できる簡単な構成で安価な光ファイバ分離部保護部材を提供する。【解決手段】複数の光ファイバを集合した多心光ファイバテープ心線１０から引き落とし光ファイバ単心線１１と引き通し光ファイバ単心線１２とに分離した分離個所を保護するため光ファイバ単心線１１，１２に沿って略長方形に延設され、覆って挟持する一対の保護部材本体１，１を係着部２によって係脱自在に設け、保護部材本体１の少なくとも一端部の接合面３に条溝４を複数形成し、光ファイバ単心線１１、１２を収納保持した。【選択図】　　　　　図４
2004126124.tif 000002
【特許請求の範囲】
【請求項１】
複数の光ファイバを集合した多心光ファイバテープ心線から特定の光ファイバ単心線を分離し、その分離した光ファイバ単心線の分離個所を保護するための光ファイバ分離部保護部材であって、光ファイバ単心線に沿って略長方形に延設され、該光ファイバ単心線を覆って挟持する一対の保護部材本体を係着部によって係脱自在に設け、該保護部材本体の少なくとも一端部の接合面に光ファイバを嵌挿する条溝を複数形成し、前記多心光ファイバテープ心線の分離された引き通し光ファイバ単心線と、ドロップケーブルに接続される引き落とし光ファイバ単心線とを収納保持することを特徴とする光ファイバ分離部保護部材。
【請求項２】
請求項１記載の光ファイバ分離部保護部材において、前記保護部材本体が光ケーブルを弾性的に挟持するプラスチックにより形成される断面コ字状のカバー部材であって、この一対の保護部材本体をヒンジ部材で一体成形され、両保護部材本体の対向面に係止片或いは係着突起と、係止孔或いは係着孔　とからなる係止部材を対向配備して両保護部材本体を開閉自在の構成にしたことを特徴とする光ファイバ分離部保護部材。
【請求項３】
請求項１または２記載の光ファイバ分離部保護部材において前記保護部材本体が、両端部に接合面があって、側壁を縁取りした中間部分にケース状の空間部を形成し、該空間部に光ケーブルを収納できる構成としたことを特徴とする光ファイバ分離部保護部材。
【請求項４】
請求項３記載の光ファイバ分離部保護部材において多心光ファイバテープ心線の長手方向に移動しないように、前記保護部材本体の条溝の内側端に突き当て仕切り壁を設けたことを特徴とする光ファイバ分離部保護部材。
【請求項５】
請求項３または４記載の光ファイバ分離部保護部材において、光ファイバ単心線を嵌挿する条溝が、多心光ファイバテープ心線の断面円弧に沿った湾曲面で形成した条溝を複数並列し、一端縁より前記仕切り壁まで直線状に設けたことを特徴とする光ファイバ分離部保護部材。
【請求項６】
請求項３、４、または５記載の光ファイバ分離部保護部材において、分離した特定の光ファイバ単心線に、保護チューブを挿通配置したことを特徴とする光ファイバ分離部保護部材。
【請求項７】
請求項４、５または６記載の光ファイバ分離部保護部材において、前記保護部材本体が、その外側面の少なくとも一端部に支持部材を備え、前記スロットロッド上に支持させた支持具に取り外し可能であることを特徴とする光ファイバ分離部保護部材。
【発明の詳細な説明】
【０００１】
【発明の属する技術分野】
本発明は、光ケーブルから光ファイバを分離し、加入者宅等に光ファイバを引き落とす際に、光ファイバ分離部を保護するのに用いる光ファイバ分離部保護部材に関する。
【０００２】
【従来の技術】
一般に、多心光ファイバを集合している光ケーブルから特定の光ファイバを分離または分岐して、その分離した分離光ファイバを加入者宅等に光ファイバを引き落とす際に、クロージャと言われている接続函等を用いて光ファイバに、引き落とし用の光ファイバを接続している。このための光ケーブルは、通常、複数のＳＺスロットが設けられたスロットロッドに、多心の光ファイバテープ心線を多数収納し、支持線により市街に配線している。
【０００３】
この光ケーブルから所定の光ファイバを分離して引き落とすには、スロットロッドから光ファイバテープ心線を取り出し、光ファイバテープ心線から特定の光ファイバを分離し、その光ファイバを切断したのち、分離した光ファイバをドロップ光ケーブルにファイバ余長部を持った状態で接続している。
このように、光ファイバを加入者宅等に引き落とす場合には、常法として光ケーブルの外被を所定長さ除去して、スロットロッドを露出させ、、所定の光ファイバテープ心線をスロットから引き出してから、光ファイバテープ心線の所定の光ファイブを分離し、下流側の外被の近傍で切断するか、或いはネットワークをループ状に構築するため光ケ−ブルの有効活用から、分離した光ファイバを中央部分で切断し、上流側と下流側の両方の光ファイバを同様の処理法で引き落している。
【０００４】
従来、光ファイバテープ心線は、素線被覆が施された複数の光ファイバ素線を一列に並べ、共通被覆で一体化して形成されているので、例えば、共通被覆の上から光ファイバ素線間に切れ目を入れて、共通被覆とともに分離すべき所定の光ファイバと光ファイバテープ心線とに分離されると、共通被覆は、光ファイバ素線上から個別に除去することが大変なことから残されたままとなるが、　分離された光ファイバは、引き通し光ファイバ単心線と引き落とし光ファイバ単心線として、該引き落とし光ファイバ単心線を、ドロップ光ケーブルに融着接続またはメカニカル接続による接続部で接続している。また、ドロップ光ケーブルの光ファイバ心線部分は、必要に応じて余長部をとってクロージャ（図示せず）内の余長収納トレイ（図示せず）等に、通過する光ファイバテープ心線および接続部と共に絡み合わないように収納処理している。（特開平２００１−４２１５５号）
【０００５】
【発明が解決しようとする課題】
ところが、通常光ファイバテープ心線は、共通被覆で複数の光ファイバ素線を一体化してある状態では、十分な機械的強度と剛性を有しているが、光ファイバを分離し、また、共通被覆が分離のために破断されたりすると、機械的強度が低下し剛性も小さくなる。また、分離された光ファイバは、単芯の光ファイバとなるので機械的強度、剛性も小さく曲げやすくなり、このため、引き落とし用の光ファイバ単心線との接続作業や、クロージャへの収納性が悪く、細心の注意をもって処理する必要があり作業性が著しく悪くなる欠点がある。
【０００６】
また、光ファイバテープ芯線は、光ファイバの分離を容易にするために、複数の光ファイバ素線を一括している共通被覆に、比較的伸び破断強度の小さいものが使用されているため、光ファイバテープ心線の分離個所をそのまま放置した状態にしておくと、接続やクロージャへの収納作業等中に、共通被覆が裂けたりして分離個所が進行して拡大してしまい、他の光ファイバと絡みやすくなったり、引き回しがやりにくくなったりして、クロージャへの収納が困難となる場合も発生して不便であった。
【０００７】
さらに、前述のように光ファイバテープ心線から分離された光ファイバは、単芯で相対的に剛性も小さくなっているため、分離個所で曲がりやすくなっているので、分離個所をそのままに放置しておくと、局部的な曲がりが発生しやすく、このため、所定値以下の曲げ半径で曲げられ、伝送損失の増加が生じるという問題もあり、また、分離された光ファイバ単心線は、光ファイバテープ心線に比べ脆弱であり取扱が難しいなどの問題があった。
【０００８】
本発明は、これら従来の欠点排除しようとするもので、テープ心線等の多心光ファイバテープ心線から所定の光ファイバ単心線を分離した際に、分離個所の拡大、分離個所での局部的な曲がり、機械的強度の低下を抑制し、光ファイバ単心線の保護を確実にして安全に処理できその配線の作業性をも大幅に向上できる光ファイバ分離部保護部材を構成簡単で、安価な形態で提供しようとするものである。
【０００９】
【課題を解決するための手段】
本発明の光ファイバ分離部保護部材は、複数の光ファイバを集合した多心光ファイバ心線から特定の光ファイバ単心線を分離し、その分離した光ファイバ単心線の分離個所を保護するための光ファイバ分離部保護部材であって、光ファイバ単心線に沿って略長方形に延設され、該光ファイバ単心線を覆って挟持する一対の保護部材本体を係着部によって係脱自在に設け、該保護部材本体の少なくとも一端部の接合面に光ファイバ単心線を嵌挿する条溝を複数形成し、前記多心光ファイバテープ心線の分離された引き通し光ファイバ単心線とドロップケーブルに接続される引き落とし光ファイバ単心線とを収納保持することを特徴とする。
【００１０】
また、本発明の光ファイバ分離部保護部材は、前記保護部材本体が光ケーブルを弾性的に挟持するプラスチックにより形成される断面コ字状のカバー部材であって、この一対の保護部材本体をヒンジ部材で一体成形され、両保護部材本体の対向面に係止片或いは係着突起と、係止孔或いは係着孔とからなる係止部材を対向配備して両保護部材本体を開閉自在の構成にし、前記引き通し光ファイバ単心線と引き落とし光ファイバ単心線とを収納保持することを特徴としている。
【００１１】
さらに、本発明の光ファイバ分離部保護部材では、保護部材本体が、両端部に接合面があって、側壁を縁取りした中間部分にケース状の空間部を形成し、該空間部に光ケーブルを収納できる構成としたことと、多心光ファイバテープ心線の長手方向に移動しないように、前記保護部材本体の条溝の内側端に突き当て仕切り壁を設けたことを特徴としていて、また、光ファイバ単心線を嵌挿する条溝が、多心光ファイバテープ心線の断面円弧に沿った湾曲面で形成した条溝を複数並列し、一端縁より前記仕切り壁まで直線状に設けた光ファイバ分離部保護部材において、分離した特定の光ファイバ単心線に、保護チューブを挿通配置して安全性を高めたり、前記保護部材本体が、その外側面の少なくとも一端部に支持部材を備え、前記スロットロッド上に支持させた支持具に取り外し可能に構成したことも特徴として、取り扱いをも簡便化して配線保護の安全性を向上し配線作業性をも良好にしてある。
【００１２】
【発明の実施の形態】
図１乃至図４により、本発明の実施の形態を説明すると、複数の光ファイバを集合した多心光ファイバテープ心線１０から特定の引き落とし光ファイバ単心線１１と引き通し光ファイバ単心線１２とに分離し、その分離した光ファイバ単心線１１，１２の光ファイバの分離個所を保護するための光ファイバ分離部保護部材であって、光ファイバ単心線１１，１２に沿って略長方形に延設され、該光ファイバ単心線１１，１２を覆って挟持する一対の保護部材本体１，１を係着部２によって係脱自在に設け、該保護部材本体１の少なくとも一端部の接合面３に光ファイバ単心線１１，１２を嵌挿する条溝４を複数形成し、前記多心光ファイバテープ心線１０の分離された引き通し光ファイバ単心線１２と、ドロップケーブルに接続される引き落とし光ファイバ単心線１１とを収納保持することを特徴とする。
【００１３】
また、本発明の光ファイバ分離部保護部材は、前記保護部材本体１が光ケーブルを弾性的に挟持するプラスチック、例えば比重が１前後の軽量の合成樹脂により形成される断面コ字状のカバー部材で、両端部に接合面があって、側壁１ｂを縁取りした中間部分にケース状の空間部１ａを持ち、該空間部１ａに光ケーブルを収納できるものであって、この一対の保護部材本体１を可撓性のヒンジ部材５で一体成形され、両保護部材本体１，１の対向面に係着部２の係止片２ａ或いは係着突起と、係止孔２ｂ或いは係着孔とからなる係止部材を対向配備して両保護部材本体１，１を開閉自在の構成にし、多心光ファイバテープ心線１０と、該多心光ファイバテープ心線１０から分離された引き落とし用の光ファイバ単心線１１と引き通し用の光ファイバ単心線１２とを収納保持することを特徴としている。
【００１４】
さらに、本発明の光ファイバ分離部保護部材では、多心光ファイバテープ心線１０の長手方向に移動しないように、前記保護部材本体１の条溝４の内側端に突き当て仕切り壁６を設けたことを特徴とするし、光ファイバ単心線１１，１２を嵌挿する条溝４が、多心光ファイバ心線の断面円弧に沿った湾曲面で形成した条溝４を複数並列し、一端縁より前記仕切り壁６まで直線状に設けた光ファイバ分離部保護部材とすることによって、また分離した特定の光ファイバ単心線１１，１２に、保護チューブ７を挿通配置して安全性を高めたり、前記保護部材本体が、その外側面の少なくとも一端部に支持部材を備え、前記スロットロッド上に支持させた支持具に取り外し可能に構成したことも特徴として、取り扱いをも簡便化して配線作業性を良好にしてある。
【００１５】
図４に示す保護部材本体１は、その少なくとも一端部の接合面３に光ファイバ単心線１１，１２を嵌挿する直線状の条溝４を複数形成し、他端部に凹面部３１，凸面部３２　の接合面を形成して、多心光ファイバテープ心線１０の分離された引き通し光ファイバ単心線１２と、引き落とされドロップケーブルに接続される引き落とし光ファイバ単心線１１とを連通挟持できるようにし、両端部間に多心光ファイバテープ心線１０から分離された引き落とし光ファイバ単心線１１と引き通し光ファイバ単心線１２とを収納保持できるように形成してある。
即ち両端部に接合面３を有し、その接合面間は、側壁１ｂを縁取りした中間部分としたケース状の空間部１ａを持ち、該空間部１ａに光ケーブルを収納できるものであって、他端部の凹面部３１　，凸面部３２　には、分離前の多心光ファイバテープ心線１０が挿通される。一端部の接合面３に光ファイバ単心線１１，１２を嵌挿する直線状の条溝４を複数形成した一端部の接合面３には、その一つの条溝４に切断されて分離される所定の光ファイバ単心線１１が挿通され、他方の条溝４には、そのまま通過する引き通し光ファイバ単心線１２が挿通される。ここでは説明を解りやすくするため、多心光ファイバ心線として、光ファイバテープ心線を用いた例を示す。
【００１６】
なお、前記光ファイバ単心線１１，１２の曲げ許容半径は、光ファイバの種類によって異なるが、通常のシングルモード光ファイバ（コア径１０μｍ前後、クラッド公称外径１２５μｍ）で、３０ｍｍ以上であることを考慮して、条溝４を複数形成するのに並列間隔を適宜選んで分岐する形態にするが、分離する光ファイバ単心線１１，１２が４心以下である場合は、それぞれに対応した分岐条溝４で形成するのがよい。
【００１７】
また、多心光ファイバテープ心線１０及び分岐される光ファイバ単心線１１，１２の幅と深さは、挿入される光ファイバテープ心線１０に対して、クリアランスを有するように形成されていることが好ましい。この場合、多心光ファイバテープ心線１０の端部に、移動防止片８を装着することにより、多心光ファイバテープ心線１０が長手方向に移動するのを防止する。この移動防止片８は、スポンジゴムなどの弾力性のある材料で形成され、スリットを入れて光ファイバテープ心線１０上に側面方向から配され、開けられた凹面部３１　内に押し込むことにより取付けられる。光ファイバテープ心線１０は、移動防止片８との摩擦力により、長手方向の移動が抑制され、また、保護部材本体１内で、振動等によりガタつくのも抑制される。なお、移動防止片８に代えて、前記凹凸面部３１　，３２に突起や狭幅部を設けて光ファイバテープ心線１０を狭持させてもよい。
【００１８】
前記条溝４に挿通した引き落とし光ファイバ単心線１１には、ナイロン等で形成された保護チューブ７を嵌挿して保護することができる。このため、保護チューブ７の先端部分が、条溝４内に収納できるように、出口部分で径を大きくした円弧面で形成しておくとよい。なお、種々の分離形態に対応可能なように、もう一方の他端部も同様な分岐条溝４を並列形成した形態で設けておいてもよい。
【００１９】
前記条溝４の形状は、前述した保護チューブ７を挿入できるように円形孔とするのが好ましく、その径は、保護チューブ７の外径に対して、ほぼ同一か、やや小さくするとよい。円形孔は、並列方向に複数形成することで、一つの保護部材本体１で複数の保護チューブ７を挿入し、複数の分離した光ファイバ単心線１１，１２を導出させることができる。なお、通過する多心光ファイバテープ心線１０側の他端部は、特に円形孔とする必要はないが、引き落とし光ファイバ用と引き通し光ファイバ単心線用のいずれにも使用できるように同形状で形成しておくのが好ましい。
この場合、光ファイバ単心線１１，１２などの光ファイバを嵌挿する条溝４が、光ファイバの断面円弧に沿った湾曲面で形成した条溝４を複数並列し、一端縁より前記仕切り壁６まで直線状に設けて光ファイバを的確に弾性的に挟持できるように考慮されている。
なお、多心光ファイバ心線が長手方向に移動しないように、前記保護部材本体１の条溝４の内側端に突き当て仕切り壁６を設けて、保護チューブ７を挿入した際に、保護チューブ７の他端で規制されて位置決めを確実にし、保護チューブ７を挿入作業も容易にすることができる。
【００２０】
また、図３（ｃ）（ｄ）に示すように、スロットを設けた反対の側には、保護部材本体１を後述する支持部材等に取付けるための取付片９を設けておくことができる。この取付片９は、スナップイン的に着脱可能に取付できる突起、ホック、係止舌片等で形成したり、その他、ベルクロファスナー（商標名）のような着脱部材を用いてもよい。
【００２１】
図５は、配線一例を示す縦断説明図で、保護部材本体１に、多心光ファイバ心線１０の分離された引き落とし光ファイバ単心線１１と、引き通し光ファイバ単心線１２とを連通挟持できるようにし、　両端部間に多心光ファイバテープ心線１０を含み分離した引き落とし光ファイバ１１と引き通し光ファイバ単心線１２とを収納保持できるようにするが、可撓性のヒンジ５を介して一体に成形した一対の保護部材本体１，１を突き合わせて係着部２によって係着する。この両保護部材本体１，１の合体には、例えば、一方の保護部材本体１側に係止片２ａを設け、これに対向した対置に他方の保護部材本体１側に係止孔２ｂを設けて脱着がし易くするように行なう。
図中、２０は光ケーブル、２１は端面板、２２はクロージャ、２３はケーブル把持具、２４はケーブル連結具、２５はドロップトレイ、２６ドロップ把持具、２７は配線ガイドフレーム、２８は接続トレイ、２９はＦＯトレイ、３０はスプリッタトレイ、３１は配線ガイドを示す。
【００２２】
この実施形態では、保護部材本体１はクロージャ２２内の配線ガイド３１に着脱自在に取り付けられて用いられるが、光ケーブル２０から分離された光ファイバテープ心線１０および該光ファイバテープ心線１０からさらに分離した引き落とし光ファイバ単心線１１並びに引き通し光ファイバ単心線１２とを一方の保護部材本体１内に挿入した後、他方の保護部材本体１で突き合わせることにより、保護部材本体１，１内から前記光ファイバ単心線１１，１２の光ファイバが抜け出るのを完全に防止することができ、保護部材本体１の一体成形で成型金型がシンプルで形成がしやすく、また、光ファイバの挿着も容易に行なうことができ、作業性を著しく簡易に行うことができる。
なお、光ファイバテープ心線１０の長手方向の移動に対しては、図４で示したのと同様な移動防止片８を用いて抑制することができる。この場合、一端部の開放口から挿入することもできる。また、保護チューブ７も端部の開放口から押し込んで挿入することができ、作業性を向上させることができる。
【００２３】
光ファイバテープ心線１０では、分岐、接続等で多くの部品が用いられるため、これら部品を光ケープ自体で支持する場合には、保護部材本体１は、できるだけ軽量化して重量増による負担が光ファイバテープ心線１０などの光ケーブルに生じないようにするのが好ましいので、比重が１前後の軽量の合成樹脂、例えば、ポリプロピレン、ポリエチレン等の合成樹脂を用いて形成するのが好ましいし、内部点検、確認を容易化するため目視可能とするため、保護部材本体１は、透明または半透明の樹脂で形成されるのが好ましい。保護部材本体１を透明とすることにより、光ファイバの分離状態や挿入状態を外部から確認することができ、分離状態の良不良等をチェックし、信頼性の向上を図ることができる。
【００２４】
なお、光ケーブルは、複数のＳＺスロットが形成さられたスロットロッドに、多数の光ファイバテープ心線１０を収納し、支持線（図示せず）により市街に配線しているので、光ファイバを加入者宅等に引き落とす場合は、先ず、光ケーブル２０の外被を所定長さ除去して、所定の光ファイバテープ心線１０をスロットから引き出し、次いで、光ファイバテープ心線１０の所定の光ファイバ単心線１１を分離し、下流側の外被の近傍等で切断する。この光ファイバ単心線１１の分離個所は、上述した保護部材本体１で保護し、分離個所が進行拡大したり、分離個所での局部的な曲がりを抑制する。保護部材本体１は、外被が除去されたスロットドッド上に、取付片９例えば、係止部材、支持フック、バンド、スナップなどを用いて配線ガイドなどに支持固定され、作業中や作業後にも追加したり、外したりすることができるようにすることができる。
【００２５】
以上、本発明の光ファイバ分離部保護部材について、光ケーブルのスロットロッドから、光ファイバテープ心線を引き出して分離する例で説明したが、光ケーブルの端末処理、屋内配線や機器内配線で光ファイバテープ心線を用いる場合にも、使用することができるものであり、また、複数の光ファイバを環状に集合した光ファイバ心線の分離にも適用でき、複数の光ファイバを集合した多心光ファイバ心線全般の光ファイバ分離部保護に使用することができる。
【００２６】
【発明の効果】
本発明によれば、複数の光ファイバを集合した多心光ファイバテープ心線から特定の光ファイバ単心線を分離し、その分離した光ファイバ単心線の分離個所を保護するための光ファイバ分離部保護部材であって、光ファイバ単心線に沿って略長方形に延設され、該光ファイバ単心線を覆って挟持する一対の保護部材本体を係着部によって係脱自在に設け、該保護部材本体の少なくとも一端部の接合面に光ファイバ単心線を嵌挿する条溝を複数形成し、前記多心光ファイバテープ心線から分離した引き通し光ファイバ単心線と引き落とし光ファイバ単心線とを収納保持させることにより、光ケーブルのテープ心線等の多心光ファイバテープ心線から所定の光ファイバ単心線を分離した際に、分離個所の拡大や、分離個所での局部的な曲がりを抑制することが確実にでき、また光ファイバの分離部分を被覆して、的確に保持することができて、機械的強度の低下を抑制し、光ファイバの保護を確実にし安全に処理できてその配線の作業性をも大幅に向上させることができると共に、光ファイバの分離を伴うクロージャ内での配線の引き回しや接続を容易にし、伝送損失の増加をも容易に低減させることができる。
【図面の簡単な説明】
【図１】本発明の光ファイバ分離部保護部材を示し、（ａ）はその展開状態の平面図、（ｂ）はその側面図、（ｃ）は保護部材の出口側の端面図、（ｄ）は保護部材の入口側の端面図である。
【図２】図１の例の光ファイバ分離部保護部材で、（ａ）はその底面図、（ｂ）は　　その他側面図である。
【図３】図１の例の拡大縦断面図であって、（ａ）はそのＡ−Ａ線における縦断面図、（ｂ）はそのＢ−Ｂ線における縦断面図、（ｃ）はそのＣ−Ｃ線における縦断面図、（ｄ）はそのＤ−Ｄ線における縦断面図である。
【図４】本発明による光ファイバ分離部保護部材の配線状態の一形態を説明する展開平面図である。
【図５】本発明による光ファイバ分離部保護部材の使用状態を示す縦断面図である。
【符号の説明】
１　　保護部材本体
１ａ　空間部
１ｂ　側壁
２　　係着部
２ａ　係止片
２ｂ　係止孔
３　　接合面
３１　　凹面部
３２　　凸面部
４　　条溝
５　　ヒンジ部
６　　仕切り壁
７　　保護チューブ
８　　移動防止片
９　　取付片
１０　　多心光ファイバテープ心線
１１　　引き落とし光ファイバ単心線
１２　　引き通し光ファイバ単心線
２０　　光ケーブル
２１　　端面板
２２　　クロージャ
２３　　ケーブル把持具
２４　　ケーブル連結具
２５　　ドロップトレイ
２６　　ドロップ把持具
２７　　配線ガイドフレーム
２８　　接続トレイ
２９　　ＦＯトレイ
３０　　スプリッタトレイ
３１　　配線ガイド
【図１】
2004126124.tif 000003
【図２】
2004126124.tif 000004
【図３】
2004126124.tif 000005
【図４】
2004126124.tif 000006
【図５】
2004126124.tif 000007